(57)【要約】【課題】コントラストが高く、高輝度であって映り込みのない画像を得ることができ、かつ製造が容易な反射スクリーン、及び、反射スクリーンの製造方法を提供する。【解決手段】裏面側における幅より映像源側における幅が広い略楔形状であってスクリーン面に沿って多数並べて形成された単位プリズム形状１２と、裏面側に形成され、単位プリズム形状１２を通過した映像光を反射する反射層１３と、単位プリズム形状１２の間に形成された光吸収部とを設ける。【選択図】図１
2006301588.tif 000002
【特許請求の範囲】
【請求項１】
映像源から投影された映像光を反射させて観察可能にする反射スクリーンであって、
スクリーン面に対して直交する断面において、
光を透過可能な光透過部と、
光を吸収する光吸収部と、
を備え、
前記光透過部と前記光吸収部とが、スクリーン面に沿って交互に形成されており、
少なくとも前記光透過部の裏面側には、前記光透過部を通過した前記映像光を反射する反射層を備える反射スクリーン。
【請求項２】
請求項１に記載の反射スクリーンにおいて、
前記光透過部は、スクリーン面に対して直交する断面において、裏面側における幅より前記映像源側における幅が広い略楔形状であってスクリーン面に沿って多数並べて形成された単位プリズム形状であること、
を特徴とする反射スクリーン。
【請求項３】
請求項１又は請求項２に記載の反射スクリーンにおいて、
前記光吸収部は、前記単位プリズム形状を形成する材料の屈折率よりも屈折率が低いこと、
を特徴とする反射スクリーン。
【請求項４】
請求項１又は請求項２に記載の反射スクリーンにおいて、
前記光吸収部は、光を吸収する微小ビーズを含むこと、
を特徴とする反射スクリーン。
【請求項５】
請求項４に記載の反射スクリーンにおいて、
前記光吸収部は、前記単位プリズム形状を形成する材料の屈折率よりも屈折率が低い樹脂に前記微小ビーズを混練することにより形成されていること、
を特徴とする反射スクリーン。
【請求項６】
請求項１から請求項５までのいずれか１項に記載の反射スクリーンにおいて、
前記反射層は、前記光透過部又は前記単位プリズム形状の略楔形状の頂部に対応する部分にのみに形成されていること、
を特徴とする反射スクリーン。
【請求項７】
請求項２から請求項６までのいずれか１項に記載の反射スクリーンにおいて、
前記単位プリズム形状は、その並ぶ方向において非対称な第１のプリズム面及び第２のプリズム面を有していること、
を特徴とする反射スクリーン。
【請求項８】
請求項７に記載の反射スクリーンにおいて、
前記第１のプリズム面は、１種類の面により形成されており、
前記第２のプリズム面は、少なくとも２種類の面により形成されていること、
を特徴とする反射スクリーン。
【請求項９】
請求項７又は請求項８に記載の反射スクリーンにおいて、
前記第１のプリズム面は、１つの平面により形成されており、
前記第２のプリズム面は、裏面に近い位置に形成された第１の平面と、前記第１の平面よりも映像源側に形成された第２の平面との２種類の平面を有しており、
前記第１の平面は、前記第１のプリズム面と対称な平面により形成されており、
前記第２の平面がスクリーン面の法線と成す角度は、前記第１の平面がスクリーン面の法線と成す角度よりも大きいこと、
を特徴とする反射スクリーン。
【請求項１０】
請求項１から請求項９までのいずれか１項に記載の反射スクリーンにおいて、
前記光透過部と前記光吸収部との境界面がスクリーン面に対する法線となす角度をθとすると、
５°≦θ≦１５°
の関係を満たすこと、
を特徴とする反射スクリーン。
【請求項１１】
請求項１から請求項１０までのいずれか１項に記載の反射スクリーンにおいて、
映像源側の表面には、アンチグレア処理、反射防止処理、帯電防止処理、ハードコート処理、防汚処理の少なくとも一つの処理が施されていること、
を特徴とする反射スクリーン。
【請求項１２】
請求項１から請求項１１までのいずれか１項に記載の反射スクリーンにおいて、
映像源側の表面には、正反射する成分を低減させる正反射防止層が形成されていること、
を特徴とする反射スクリーン。
【請求項１３】
請求項１２に記載の反射スクリーンにおいて、
前記正反射防止層によるヘイズ値は、２５％以上、かつ、９０％以下の範囲内にあること、
を特徴とする反射スクリーン。
【請求項１４】
請求項１２又は請求項１３に記載の反射スクリーンにおいて、
前記正反射防止層は、表面に微細凹凸形状が形成されており、前記微細凹凸形状により正反射する成分を低減させること、
を特徴とする反射スクリーン。
【請求項１５】
請求項１４に記載の反射スクリーンにおいて、
前記正反射防止層は、多数の微小ビーズと、前記微小ビーズを固着するバインダと、を有しており、
前記微小ビーズが固着されている部分は、前記微小ビーズが固着されずに前記バインダのみとなっている部分よりも映像源側へ突出して前記微細凹凸形状が形成されていること、
を特徴とする反射スクリーン。
【請求項１６】
請求項１４又は請求項１５に記載の反射スクリーンにおいて、
前記微細凹凸形状には、スクリーン面と平行となる平坦面が実質的に形成されていないこと、
を特徴とする反射スクリーン。
【請求項１７】
請求項１２又は請求項１３に記載の反射スクリーンにおいて、
前記正反射防止層は、微小な単位レンズ形状を一次元、又は、２次元方向に配列したレンズアレイが形成されており、前記レンズアレイにより正反射する成分を低減させること、
を特徴とする反射スクリーン。
【請求項１８】
請求項１７に記載の反射スクリーンにおいて、
前記レンズアレイは、単位レンズ形状を一次元方向に配列して形成されたレンチキュラーレンズアレイであって、
前記単位レンズ形状が同一断面形状で延在する方向は、前記光透過部及び前記光吸収部が同一断面形状で延在する方向と略直交していること、
を特徴とする反射スクリーン。
【請求項１９】
請求項１７に記載の反射スクリーンにおいて、
前記レンズアレイは、単位レンズ形状を二次元方向に配列して形成されたマイクロレンズアレイであって、
前記単位レンズ形状をスクリーンの法線方向から観察したときの長手方向は、前記光透過部及び前記光吸収部が同一断面形状で延在する方向と略直交していること、
を特徴とする反射スクリーン。
【請求項２０】
請求項１２から請求項１９までのいずれか１項に記載の反射スクリーンにおいて、
前記正反射防止層のさらに映像源側には、帯電防止処理、ハードコート処理、防汚処理の少なくとも一つの処理が前記正反射防止層の表面形状に沿って施されており、
前記正反射防止層の正反射する成分を低減させる機能を保ったまま帯電防止、ハードコート、防汚の機能を有していること、
を特徴とする反射スクリーン。
【請求項２１】
請求項１から請求項２０までのいずれか１項に記載の反射スクリーンにおいて、
前記反射層は、反射率が４０％以上であること、
を特徴とする反射スクリーン。
【請求項２２】
請求項１から請求項２１までのいずれか１項に記載の反射スクリーンにおいて、
前記反射層は、拡散反射率Ｒｄが１０％以上、かつ、７０％以下の範囲内であること、
を特徴とする反射スクリーン。
【請求項２３】
請求項２２に記載の反射スクリーンにおいて、
前記反射層は、その表面に表面拡散処理が施されていることにより前記拡散反射率Ｒｄを前記所定の範囲内としていること、
を特徴とする反射スクリーン。
【請求項２４】
請求項２３に記載の反射スクリーンにおいて、
前記反射層は、方向により拡散作用の強度が異なること、
を特徴とする反射スクリーン。
【請求項２５】
請求項２４に記載の反射スクリーンにおいて、
前記反射層は、スクリーンの使用状態における垂直方向よりも水平方向の拡散作用が強いこと、
を特徴とする反射スクリーン。
【請求項２６】
請求項１から請求項２５までのいずれか１項に記載の反射スクリーンにおいて、
前記反射層は、拡散反射率Ｒｄの異なる複数の領域を組み合わせて形成されていること、
を特徴とする反射スクリーン。
【請求項２７】
請求項１から請求項２６までのいずれか１項に記載の反射スクリーンにおいて、
透過する光を特定の方向についてのみ強く拡散させる異形拡散層を設けたこと、
を特徴とする反射スクリーン。
【請求項２８】
請求項２７に記載の反射スクリーンにおいて、
前記異形拡散層が透過した光を強く拡散させる方向は、前記光透過部及び前記光吸収部が同一断面形状で延在する方向と一致していること、
を特徴とする反射スクリーン。
【請求項２９】
請求項１から請求項２８までのいずれか１項に記載の反射スクリーンにおいて、
前記反射層は、高反射率の反射フィルム、又は、反射板により形成されており、
前記反射フィルム、又は、前記反射板は、前記光透過部及び前記光吸収部に対して接着層、又は、粘着層を用いて積層されていること、
を特徴とする反射スクリーン。
【請求項３０】
請求項２９に記載の反射スクリーンにおいて、
前記反射フィルム又は前記反射板と前記光透過部及び前記光吸収部との間隔は、前記光透過部の前記反射層側の幅の１／２以下であること、
を特徴とする反射スクリーン。
【請求項３１】
請求項２９又は請求項３０に記載の反射スクリーンにおいて、
前記接着層、又は、前記粘着層には、光拡散材が混入されていること、
を特徴とする反射スクリーン。
【請求項３２】
請求項１から請求項３１までのいずれか１項に記載の反射スクリーンにおいて、
スクリーン面に対して直交する断面での前記光透過部の裏面側の幅をｗｔとし、前記光吸収部の裏面側の幅をｗａとすると、
１／４≦ｗｔ／ｗａ≦２
の関係を満たすこと、
を特徴とする反射スクリーン。
【請求項３３】
請求項１から請求項３２までのいずれか１項に記載の反射スクリーンにおいて、
映像源側の表面には、紫外線吸収作用を有した紫外線吸収層が設けられていること、
を特徴とする反射スクリーン。
【請求項３４】
請求項１から請求項３３までのいずれか１項に記載の反射スクリーンにおいて、
不使用時には、巻き上げることが可能であること、
を特徴とする反射スクリーン。
【請求項３５】
請求項２から請求項３４までのいずれか１項に記載の反射スクリーンにおいて、
前記単位プリズム形状が並ぶ方向と直交する方向に並ぶ第２の単位プリズム形状が前記単位プリズム形状よりもさらに映像源側に形成されていること、
を特徴とする反射スクリーン。
【請求項３６】
請求項２から請求項３４までのいずれか１項に記載の反射スクリーンの製造方法であって、
前記単位プリズム形状を樹脂により賦型する単位プリズム形状賦型工程と、
形成された前記単位プリズム形状の略楔形状の頂部に対応する部分にのみ前記反射層を形成する反射層形成工程と、
前記反射層を形成した後に、前記光吸収部を形成する光吸収部形成工程と、
を備える反射スクリーンの製造方法。
【請求項３７】
請求項２から請求項３４までのいずれか１項に記載の反射スクリーンの製造方法であって、
前記単位プリズム形状を樹脂により賦型する単位プリズム形状賦型工程と、
形成された前記単位プリズム形状の間に前記光吸収部を形成する光吸収部形成工程と、
前記光吸収部を形成した後に前記反射層を形成する反射層形成工程と、
を備える反射スクリーンの製造方法。
【請求項３８】
請求項３６又は請求項３７に記載の反射スクリーンの製造方法において、
前記光吸収部形成工程は、ワイピングにより前記光吸収部を形成する材料を前記単位プリズム形状の間に充填すること、
を特徴とする反射スクリーンの製造方法。
【発明の詳細な説明】
【技術分野】
【０００１】
本発明は、前方からの映像光を反射面により反射させて観察する反射スクリーン、及び、反射スクリーンの製造方法に関するものである。
【背景技術】
【０００２】
従来、この種の反射スクリーンは、透明シートの前面側に光透過拡散層、背面側に光反射用のリニアフレネルレンズ面が設けられたものが知られていた（例えば、特許文献１）。また、特許文献２には、外光によるコントラストの低下を抑え、好適な視野角を得ることを可能にする反射スクリーンの構成が開示されている。さらに、特許文献３には、レンチキュラーレンズと反射部を設けた裏面の直交方向に配列されたリニアフレネルレンズの組み合わせによる反射スクリーンについて記載されている。
【０００３】
しかし、よりコントラストの高い画像を得たいという要求、及び、投影側光源の光量が少ない場合であっても、できる限り高輝度な画像を得たいという要求があった。また、高輝度な画像を得られた場合であっても、不要な映り込みを排除することは、常に要求されることである。
さらに、上述した従来の反射スクリーンでは、その製造工程が複雑になり、結果として製造コストが高くなるという問題があった。
【０００４】
また、特許文献４には、斜め前方から投射した光を反射させて観察する反射スクリーンに関し、断面が鋸歯状のスクリーン面に反射面と光吸収面とを形成し、映像光及び外光が到達する面を作り分けた反射スクリーンが開示されている。
しかし、特許文献４に記載の反射スクリーンでは、断面が鋸歯状のスクリーン面に反射面と光吸収面とを明確に分けて製造する必要があるが、鋸歯状の山の一方を反射面とし、他方を光吸収面として作り分けることは、困難であって、製造単価が高くなってしまうという問題があった。
【特許文献１】特開平８−２９８７５号公報
【特許文献２】特開平１０−６２８７０号公報
【特許文献３】特開２００２−３１１５０７号公報
【特許文献４】特開平２−２６２１３４号公報
【発明の開示】
【発明が解決しようとする課題】
【０００５】
本発明の課題は、コントラストが高く、高輝度であって映り込みのない画像を得ることができ、かつ製造が容易な反射スクリーン、及び、反射スクリーンの製造方法を提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、映像源（Ｌ）から投影された映像光を反射させて観察可能にする反射スクリーンであって、スクリーン面に対して直交する断面において、光を透過可能な光透過部（１２，２２）と、光を吸収する光吸収部（１４，２４）と、を備え、前記光透過部と前記光吸収部とが、スクリーン面に沿って交互に形成されており、少なくとも前記光透過部の裏面側には、前記光透過部を通過した前記映像光を反射する反射層（１３，２３）を備える反射スクリーンである。
【０００７】
請求項２の発明は、請求項１に記載の反射スクリーンにおいて、前記光透過部は、スクリーン面に対して直交する断面において、裏面側における幅より前記映像源側における幅が広い略楔形状であってスクリーン面に沿って多数並べて形成された単位プリズム形状（１２，２２）であること、を特徴とする反射スクリーン（１０，２０）である。
請求項３の発明は、請求項１又は請求項２に記載の反射スクリーンにおいて、前記光吸収部（１４，２４）は、前記単位プリズム形状（１２，２２）を形成する材料の屈折率よりも屈折率が低いこと、を特徴とする反射スクリーン（１０，２０）である。
請求項４の発明は、請求項１又は請求項２に記載の反射スクリーンにおいて、前記光吸収部（１４，２４）は、光を吸収する微小ビーズを含むこと、を特徴とする反射スクリーン（１０，２０）である。
請求項５の発明は、請求項４に記載の反射スクリーンにおいて、前記光吸収部は、前記単位プリズム形状を形成する材料の屈折率よりも屈折率が低い樹脂に前記微小ビーズを混練することにより形成されていること、を特徴とする反射スクリーンである。
請求項６の発明は、請求項１から請求項５までのいずれか１項に記載の反射スクリーンにおいて、前記反射層（１３，２３）は、前記光透過部又は前記単位プリズム形状（１２，２２）の略楔形状の頂部に対応する部分にのみに形成されていること、を特徴とする反射スクリーン（１０，２０）である。
請求項７の発明は、請求項２から請求項６までのいずれか１項に記載の反射スクリーンにおいて、前記単位プリズム形状（２２）は、その並ぶ方向において非対称な第１のプリズム面（２２ａ）及び第２のプリズム面（２２ｂ）を有していること、を特徴とする反射スクリーン（２０）である。
請求項８の発明は、請求項７に記載の反射スクリーンにおいて、前記第１のプリズム面（２２ａ）は、１種類の面により形成されており、前記第２のプリズム面（２２ｂ）は、少なくとも２種類の面（２２ｂ−１，２２ｂ−２）により形成されていること、を特徴とする反射スクリーンである。
請求項９の発明は、請求項７又は請求項８に記載の反射スクリーンにおいて、前記第１のプリズム面（２２ａ）は、１つの平面により形成されており、前記第２のプリズム面（２２ｂ）は、裏面に近い位置に形成された第１の平面（２２ｂ−１）と、前記第１の平面よりも映像源側に形成された第２の平面（２２ｂ−２）との２種類の平面を有しており、前記第１の平面は、前記第１のプリズム面と対称な平面により形成されており、前記第２の平面がスクリーン面の法線と成す角度（１５°）は、前記第１の平面がスクリーン面の法線と成す角度（５°）よりも大きいこと、を特徴とする反射スクリーン（２０）である。
請求項１０の発明は、請求項１から請求項９までのいずれか１項に記載の反射スクリーンにおいて、前記光透過部（８２）と前記光吸収部（８４）との境界面がスクリーン面に対する法線となす角度をθとすると、５°≦θ≦１５°の関係を満たすこと、を特徴とする反射スクリーン（８０）である。
請求項１１の発明は、請求項１から請求項１０までのいずれか１項に記載の反射スクリーンにおいて、映像源側の表面には、アンチグレア処理、反射防止処理（１５，２５）、帯電防止処理、ハードコート処理、防汚処理の少なくとも一つの処理が施されていること、を特徴とする反射スクリーン（１０，２０）である。
【０００８】
請求項１２の発明は、請求項１から請求項１１までのいずれか１項に記載の反射スクリーンにおいて、映像源側の表面には、正反射する成分を低減させる正反射防止層（３５，４５，５５，６５）が形成されていること、を特徴とする反射スクリーン（３０，４０，５０，６０）である。
請求項１３の発明は、請求項１２に記載の反射スクリーンにおいて、前記正反射防止層（３５，４５，５５，６５）によるヘイズ値は、２５％以上、かつ、９０％以下の範囲内にあること、を特徴とする反射スクリーン（３０，４０，５０，６０）である。
請求項１４の発明は、請求項１２又は請求項１３に記載の反射スクリーンにおいて、前記正反射防止層（３５，４５，５５，６５）は、表面に微細凹凸形状が形成されており、前記微細凹凸形状により正反射する成分を低減させること、を特徴とする反射スクリーン（３０，４０，５０，６０）である。
請求項１５の発明は、請求項１４に記載の反射スクリーンにおいて、前記正反射防止層は、多数の微小ビーズと、前記微小ビーズを固着するバインダと、を有しており、前記微小ビーズが固着されている部分は、前記微小ビーズが固着されずに前記バインダのみとなっている部分よりも映像源側へ突出して前記微細凹凸形状が形成されていること、を特徴とする反射スクリーンである。
請求項１６の発明は、請求項１４又は請求項１５に記載の反射スクリーンにおいて、前記微細凹凸形状には、スクリーン面と平行となる平坦面が実質的に形成されていないこと、を特徴とする反射スクリーン（３０，４０，５０，６０）である。
請求項１７の発明は、請求項１２又は請求項１３に記載の反射スクリーンにおいて、前記正反射防止層は、微小な単位レンズ形状を一次元、又は、２次元方向に配列したレンズアレイが形成されており、前記レンズアレイにより正反射する成分を低減させること、を特徴とする反射スクリーンである。
請求項１８の発明は、請求項１７に記載の反射スクリーンにおいて、前記レンズアレイは、単位レンズ形状を一次元方向に配列して形成されたレンチキュラーレンズアレイであって、前記単位レンズ形状が同一断面形状で延在する方向は、前記光透過部及び前記光吸収部が同一断面形状で延在する方向と略直交していること、を特徴とする反射スクリーンである。
請求項１９の発明は、請求項１７に記載の反射スクリーンにおいて、前記レンズアレイは、単位レンズ形状を二次元方向に配列して形成されたマイクロレンズアレイであって、前記単位レンズ形状をスクリーンの法線方向から観察したときの長手方向は、前記光透過部及び前記光吸収部が同一断面形状で延在する方向と略直交していること、を特徴とする反射スクリーンである。
請求項２０の発明は、請求項１２から請求項１９までのいずれか１項に記載の反射スクリーンにおいて、前記正反射防止層のさらに映像源側には、帯電防止処理、ハードコート処理、防汚処理の少なくとも一つの処理が前記正反射防止層の表面形状に沿って施されており、前記正反射防止層の正反射する成分を低減させる機能を保ったまま帯電防止、ハードコート、防汚の機能を有していること、を特徴とする反射スクリーンである。
請求項２１の発明は、請求項１から請求項２０までのいずれか１項に記載の反射スクリーンにおいて、前記反射層（１３，２３，３３，４３，５３，６３）は、反射率が４０％以上であること、を特徴とする反射スクリーン（１０，２０，３０，４０，５０，６０）である。
請求項２２の発明は、請求項１から請求項２１までのいずれか１項に記載の反射スクリーンにおいて、前記反射層（１３，２３，３３，４３，５３，６３）は、拡散反射率Ｒｄが１０％以上、かつ、７０％以下の範囲内であること、を特徴とする反射スクリーンである。
請求項２３の発明は、請求項２２に記載の反射スクリーンにおいて、前記反射層（５３，６３）は、その表面に表面拡散処理が施されていることにより前記拡散反射率Ｒｄを前記所定の範囲内としていること、を特徴とする反射スクリーン（５０，６０）である。
請求項２４の発明は、請求項２３に記載の反射スクリーンにおいて、前記反射層（５３，６３）は、方向により拡散作用の強度が異なること、を特徴とする反射スクリーン（５０，６０）である。
請求項２５の発明は、請求項２４に記載の反射スクリーンにおいて、前記反射層（５３，６３）は、スクリーンの使用状態における垂直方向よりも水平方向の拡散作用が強いこと、を特徴とする反射スクリーン（５０，６０）である。
請求項２６の発明は、請求項１から請求項２５までのいずれか１項に記載の反射スクリーンにおいて、前記反射層は、拡散反射率Ｒｄの異なる複数の領域（７３ａ，７３ｂ）を組み合わせて形成されていること、を特徴とする反射スクリーン（７０）である。
請求項２７の発明は、請求項１から請求項２６までのいずれか１項に記載の反射スクリーンにおいて、透過する光を特定の方向についてのみ強く拡散させる異形拡散層（４８）を設けたこと、を特徴とする反射スクリーン（４０）である。
請求項２８の発明は、請求項２７に記載の反射スクリーンにおいて、前記異形拡散層（４８）が透過した光を強く拡散させる方向は、前記光透過部（４２）及び前記光吸収部（４４）が同一断面形状で延在する方向と一致していること、を特徴とする反射スクリーン（４０）である。
請求項２９の発明は、請求項１から請求項２８までのいずれか１項に記載の反射スクリーンにおいて、前記反射層（３３，４３）は、高反射率の反射フィルム、又は、反射板（３３，４３）により形成されており、前記反射フィルム、又は、前記反射板は、前記光透過部（３２，４２）及び前記光吸収部（３４，４４）に対して接着層（３７，４７）、又は、粘着層を用いて積層されていること、を特徴とする反射スクリーン（３０，４０）である。
請求項３０の発明は、請求項２９に記載の反射スクリーンにおいて、前記反射フィルム又は前記反射板（３３，４３）と前記光透過部（３２，４２）及び前記光吸収部（３４，４４）との間隔（ｔ）は、前記光透過部の前記反射層側の幅（Ａ）の１／２以下であること、を特徴とする反射スクリーン（３０，４０）である。
請求項３１の発明は、請求項２９又は請求項３０に記載の反射スクリーンにおいて、前記接着層、又は、前記粘着層には、光拡散材が混入されていること、を特徴とする反射スクリーンである。
【０００９】
請求項３２の発明は、請求項１から請求項３１までのいずれか１項に記載の反射スクリーンにおいて、スクリーン面に対して直交する断面での前記光透過部（８２）の裏面側の幅をｗｔとし、前記光吸収部（８４）の裏面側の幅をｗａとすると、１／４≦ｗｔ／ｗａ≦２の関係を満たすこと、を特徴とする反射スクリーン（８０）である。
請求項３３の発明は、請求項１から請求項３２までのいずれか１項に記載の反射スクリーンにおいて、映像源側の表面には、紫外線吸収作用を有した紫外線吸収層（８５）が設けられていること、を特徴とする反射スクリーン（８０）である。
【００１０】
請求項３４の発明は、請求項１から請求項３３までのいずれか１項に記載の反射スクリーンにおいて、不使用時には、巻き上げることが可能であること、を特徴とする反射スクリーンである。
請求項３５の発明は、請求項２から請求項３４までのいずれか１項に記載の反射スクリーンにおいて、前記単位プリズム形状が並ぶ方向と直交する方向に並ぶ第２の単位プリズム形状が前記単位プリズム形状よりもさらに映像源側に形成されていること、を特徴とする反射スクリーンである。
【００１１】
請求項３６の発明は、請求項２から請求項３４までのいずれか１項に記載の反射スクリーンの製造方法であって、前記単位プリズム形状（１２，２２）を樹脂により賦型する単位プリズム形状賦型工程と、形成された前記単位プリズム形状の略楔形状の頂部に対応する部分にのみ前記反射層（１３，２３）を形成する反射層形成工程と、前記反射層を形成した後に、前記光吸収部（１４，２４）を形成する光吸収部形成工程と、を備える反射スクリーンの製造方法である。
請求項３７の発明は、請求項２から請求項３４までのいずれか１項に記載の反射スクリーンの製造方法であって、前記単位プリズム形状（１２，２２）を樹脂により賦型する単位プリズム形状賦型工程と、形成された前記単位プリズム形状の間に前記光吸収部（１４，２４）を形成する光吸収部形成工程と、前記光吸収部を形成した後に前記反射層（１３，２３）を形成する反射層形成工程と、を備える反射スクリーンの製造方法である。
請求項３８の発明は、請求項３６又は請求項３７に記載の反射スクリーンの製造方法において、前記光吸収部形成工程は、ワイピングにより前記光吸収部（１４，２４）を形成する材料を前記単位プリズム形状（１２，２２）の間に充填すること、を特徴とする反射スクリーンの製造方法である。
【発明の効果】
【００１２】
本発明によれば、以下の効果を奏することができる。
（１）光を透過可能な光透過部と、光を吸収する光吸収部と、を備え、前記光透過部と前記光吸収部とが、スクリーン面に沿って交互に形成されており、前記光透過部を通過した前記映像光を反射する反射層を備えるので、不要な外光を吸収し、コントラストの高い映像を表示することができる。
【００１３】
（２）スクリーン面に沿って多数並べて形成された単位プリズム形状と、裏面側に形成され、単位プリズム形状を通過した映像光を反射する反射層とを備えるので、映像光を必要な観察方向へ効率よく反射させることができる。
【００１４】
（３）光吸収部は、単位プリズム形状を形成する材料の屈折率よりも屈折率が低いので、単位プリズム形状と光吸収部との境界面において、映像光を全反射することができ、反射損失を最小限とし、明るい映像を表示することができる。
【００１５】
（４）光吸収部は、光を吸収する微小ビーズを含むので、簡単且つ確実に外光の吸収作用を得ることができる。
【００１６】
（５）光吸収部は、単位プリズム形状を形成する材料の屈折率よりも屈折率が低い樹脂に微小ビーズを混練することにより形成されているので、裏面保護層を形成することなく、微小ビーズを固定することができる。
【００１７】
（６）反射層は、光透過部又は単位プリズム形状の略楔形状の頂部に対応する部分にのみに形成されているので、容易に製造をすることができる。
【００１８】
（７）単位プリズム形状は、その並ぶ方向において非対称な第１のプリズム面及び第２のプリズム面を有しているので、映像光又は外光の予定される方向に応じて、最適な形状とすることができる。したがって、映像光をより効率よく反射し、外光をより効率よく吸収させることができる。
【００１９】
（８）第１のプリズム面は、１種類の面により形成されており、第２のプリズム面は、少なくとも２種類の面により形成されているので、映像光をより効率よく反射し、外光をより効率よく吸収させるためにより都合のよい形状とすることができる。
【００２０】
（９）第１のプリズム面は、１つの平面により形成されており、第２のプリズム面は、第１の平面と第２の平面との２種類の平面を有しており、第１の平面は、第１のプリズム面と対称な平面により形成されており、第２の平面がスクリーン面の法線と成す角度は、第１の平面がスクリーン面の法線と成す角度よりも大きいので、第２の平面に対する外光の入射角度を小さくすることができ、より多くの外光を吸収することができる。また、下方に対する間口が広がることから、映像光をより確実に単位プリズム形状に取り入れることができる。
【００２１】
（１０）光透過部と光吸収部との境界面がスクリーン面に対する法線となす角度θは、５°≦θ≦１５°の関係を満たすので、明るくコントラストの高い映像を表示できる。
【００２２】
（１１）映像源側の表面には、アンチグレア処理、反射防止処理、帯電防止処理、ハードコート処理、防汚処理の少なくとも一つの処理が施されているので、使用環境に応じて適切な処理を選択することにより、より高品質な反射スクリーンとすることができる。
【００２３】
（１２）映像源側の表面には、正反射する成分を低減させる正反射防止層が形成されているので、映像源や、照明光が反射スクリーン表面に移りこむことを防止し、より鮮明な画像を表示することができる。
【００２４】
（１３）正反射防止層によるヘイズ値は、２５％以上、かつ、９０％以下の範囲内にあるので、白みがかってしまうことなく映り込みを効果的に防止することができる。
【００２５】
（１４）正反射防止層は、表面に微細凹凸形状が形成されており、微細凹凸形状により正反射する成分を低減させるので、製造が容易であって、かつ、確実に移り込みを防止することができる。
【００２６】
（１５）正反射防止層は、多数の微小ビーズと、微小ビーズを固着するバインダと、を有しており、微小ビーズが固着されている部分は、微小ビーズが固着されずにバインダのみとなっている部分よりも映像源側へ突出して微細凹凸形状が形成されているので、微小ビーズを混合する割合を変更することにより、任意に正反射防止効果及び拡散効果を設定することができる。
【００２７】
（１６）微細凹凸形状には、スクリーン面と平行となる平坦面が実質的に形成されていないので、映像源の映り込みを確実に防止することができる。
【００２８】
（１７）正反射防止層は、微小な単位レンズ形状を一次元、又は、２次元方向に配列したレンズアレイが形成されており、レンズアレイにより正反射する成分を低減させるので、映像源の映り込みを防止しながら、視域を任意に設定することができる。
【００２９】
（１８）レンズアレイは、単位レンズ形状を一次元方向に配列して形成されたレンチキュラーレンズアレイであって、単位レンズ形状が同一断面形状で延在する方向は、光透過部及び光吸収部が同一断面形状で延在する方向と略直交しているので、光透過部により視域を制御される方向と直交する方向において視域を制御することができる。
【００３０】
（１９）レンズアレイは、単位レンズ形状を二次元方向に配列して形成されたマイクロレンズアレイであって、単位レンズ形状をスクリーンの法線方向から観察したときの長手方向は、光透過部及び光吸収部が同一断面形状で延在する方向と略直交しているので、光透過部により視域を制御される方向と直交する方向において視域を制御することができる。
【００３１】
（２０）正反射防止層のさらに映像源側には、帯電防止処理、ハードコート処理、防汚処理の少なくとも一つの処理が正反射防止層の表面形状に沿って施されており、正反射防止層の正反射する成分を低減させる機能を保ったまま帯電防止、ハードコート、防汚の機能を有しているので、使用環境に応じて適切な処理を選択することにより、映像源の映り込みを防止しながらより高品質な反射スクリーンとすることができる。
【００３２】
（２１）反射層は、反射率が４０％以上であるので、輝度の高い映像を表示することができる。
【００３３】
（２２）反射層は、拡散反射率Ｒｄが１０％以上、かつ、７０％以下の範囲内であるので、視域が極端に狭くなることなく、かつ、反射効率も高くバランスよい反射を行うことができる。
【００３４】
（２３）反射層は、その表面に表面拡散処理が施されていることにより拡散反射率Ｒｄを所定の範囲内としているので、反射光の拡散度合を任意に設定することができる。
【００３５】
（２４）反射層は、方向により拡散作用の強度が異なるので、視域を広げながらも、光吸収部に向かってしまうような反射を最小限に抑えることができる。
【００３６】
（２５）反射層は、スクリーンの使用状態における垂直方向よりも水平方向の拡散作用が強いので、より広い視域を確保する必要がある水平方向に対して視域を広げることができる。
【００３７】
（２６）反射層は、拡散反射率Ｒｄの異なる複数の領域を組み合わせて形成されているので、拡散反射率Ｒｄが小さいほど高くなる正面のピーク輝度と、拡散反射率Ｒｄが大きいほど高くなる大きな観察角度に分布する輝度分布との間で、輝度を任意に設定、制御することができる。
【００３８】
（２７）透過する光を特定の方向についてのみ強く拡散させる異形拡散層を設けたので、簡単、かつ、確実に、光の拡散方向に強い指向性を与えることができる。
【００３９】
（２８）異形拡散層が透過した光を強く拡散させる方向は、光透過部及び光吸収部が同一断面形状で延在する方向と一致しているので、異形拡散層を反射層と光透過部及び光吸収部との間に配置した場合であっても、反射光が異形拡散層により大きく拡散された後に光吸収部に吸収されてしまうことがなく、効率よく視域を広げることができる。
【００４０】
（２９）反射フィルム、又は、反射板は、光透過部及び光吸収部に対して接着層、又は、粘着層を用いて積層されているので、反射層の形成をより簡単に行うことができる。また、反射層の特性を自由に設定することができる。
【００４１】
（３０）反射フィルム又は反射板と光透過部及び光吸収部との間隔は、光透過部の反射層側の幅の１／２以下であるので、反射層により反射した後に光透過部へ再入射させるべき反射光が光吸収部へ入射してしまうことを防止でき、スクリーンとしての反射効率の低下を防止することができる。
【００４２】
（３１）接着層、又は、粘着層には、光拡散材が混入されているので、簡単に視域を広げることができる。
【００４３】
（３２）１／４≦ｗｔ／ｗａ≦２の関係を満たすので、明るくコントラストの高い映像を表示できる。
【００４４】
（３３）映像源側の表面には、紫外線吸収作用を有した紫外線吸収層が設けられているので、紫外線による黄変を防止できる。
【００４５】
（３４）不使用時には、巻き上げることが可能であるので、外光の影響を受けにくいことと合わせて、より多くの場面で使用可能な反射スクリーンとすることができる。
【００４６】
（３５）単位プリズム形状が並ぶ方向と直交する方向に並ぶ第２の単位プリズム形状が単位プリズム形状よりもさらに映像源側に形成されているので、様々な方向からの外光を効果的に除去することができる。
【００４７】
（３６）単位プリズム形状賦型工程と、形成された単位プリズム形状の略楔形状の頂部に対応する部分にのみ反射層を形成する反射層形成工程と、反射層を形成した後に、光吸収部を形成する光吸収部形成工程を備えるので、光吸収部の形成は、裏面の全面に光吸収部を形成するだけでよく、反射スクリーンの製造を簡単に行うことができる。
【００４８】
（３７）単位プリズム形状賦型工程と、形成された単位プリズム形状の間に光吸収部を形成する光吸収部形成工程と、光吸収部を形成した後に反射層を形成する反射層形成工程とを備えるので、反射層の形成は、裏面の全面に反射層を形成するだけでよく、反射スクリーンの製造を簡単に行うことができる。
【００４９】
（３８）光吸収部形成工程は、ワイピングにより光吸収部を形成する材料を単位プリズム形状の間に充填するので、確実に充填することができる。
【発明を実施するための最良の形態】
【００５０】
コントラストが高く、高輝度であって映り込みのない画像を得ることができる反射スクリーン及び反射投影システムを得るという目的を、単位プリズム形状を多数並べ、また、その間に光吸収部を設けることにより、製造が容易な形態で実現した。
【実施例１】
【００５１】
図１は、実施例１における反射スクリーン１０を示した断面図である。なお、図１を含め、以下に示す各図は、説明のため各部寸法、形状などを適宜誇張して示している。特に図１は、室内照明Ｇ，映像源Ｌ，反射スクリーン１０をまとめて模式的に示しているので、実際とは配置関係が異なり、各光線の入射角度などが後述の説明における大小関係と異なる部分が含まれている。
本実施例における反射スクリーン１０は、映像光を投影するプロジェクター光学エンジン部（映像源）Ｌをスクリーン１０の中心に対して下方に設置し、映像光を上方斜めに投射させる配置とし、環境光の殆どがスクリーンの上方からスクリーンに入射することを考慮して開発されたスクリーンである。そして、下方からの映像光は、効率よく観察者側へ反射し、上方からの不要光は、選択的に後述の光吸収部により吸収させることで、非常にコントラストの高いフロントプロジェクタ用反射スクリーンとしたものである。
図１には、スクリーンの使用状態における垂直方向断面を示している。反射スクリーン１０は、ベース部１１，単位プリズム形状１２，反射層１３，光吸収部１４，前面処理層１５，裏面保護層１６等を備えている。
【００５２】
ベース部１１は、単位プリズム形状１２を形成するときに必要な基材となる部分であり、アクリル、ポリカーボネート、ポリエチレンテレフタレートなどの樹脂製のシート又はフィルムから形成される光透過性のある部分であり、本実施例では、アクリルを使用している。なお、このベース部１１には、必要に応じて所定の透過率に減じさせるようなグレー等の染料、顔料等で着色（ティント）が施されていてもよい。
【００５３】
単位プリズム形状１２は、図１の断面において、裏面側における幅より映像源側における幅が広い略楔形状となっている。単位プリズム形状１２は、スクリーン面に沿って（図１では上下方向に）多数並べて形成されている。また、単位プリズム形状１２は、上下方向において上下対称な形状となっており、上方、及び、下方の斜面がスクリーン面の法線となす角度は、５°であり、頂部の幅が４０μｍ、谷底から頂部までの高さが２００μｍとなっている。また、単位プリズム形状１２は、屈折率１．５６の紫外線硬化樹脂により形成されている。ここで、スクリーン面とは、スクリーン全体として見たときにおけるスクリーンの平面方向となる面を示すものであり、以下の説明中、及び、特許請求の範囲においても同一の定義として用いている。
【００５４】
反射層１３は、単位プリズム形状１２の略楔形状の頂部に対応する部分にのみ設けられ、映像光を反射して前面側（映像源側）へ戻す層である。
本実施例における反射層１３は、単位プリズム形状１２の頂部に高反射のシルバー色塗料を塗布して形成されており、使用塗料としての反射率は、全光線反射率としてＲｔ＝約６２．７％、拡散反射率Ｒｄ＝３９．１％である。
なお、反射層１３を形成するシルバー色塗料としては、上述の他に、例えば、Ｒｔ＝約６８．９％、Ｒｄ＝５６．８％の塗料等、各種反射率の塗料を選択して使用すればよい。
【００５５】
光吸収部１４は、単位プリズム形状１２が並ぶ間に形成された光を吸収する作用を有した部分である。本実施例における光吸収部１４は、不図示の黒色ビーズを満遍なく充填することにより形成されている。この黒色ビーズは、光を吸収する作用を有した微小ビーズであって、光吸収部１４内でこのビーズが存在しない隙間は、空隙となっている。この構成により、光吸収部１４が容易に変形することが可能となり、反射スクリーン１０を巻き上げ式とするような場合には、必要な柔軟性を得るのに都合がよい構成である。
【００５６】
前面処理層１５は、アンチグレア処理、反射防止処理、帯電防止処理、ハードコート処理、防汚処理等の各種表面処理が施される層であり、本実施例では、反射防止処理が施されている。なお、この前面処理層１５に施す処理は、必要に応じて適宜選択すればよい。
【００５７】
裏面保護層１６は、光吸収部１４に充填されている不図示の黒色ビーズを保持するために裏面側の全面を覆う層である。光吸収部１４に充填した黒色ビーズは、この裏面保護層１６が存在しないとすると単位プリズム形状１２同士の隙間に安定的に保持し続けることが難しい。そこで、本実施例では、裏面の全面に紫外線硬化樹脂を滴下して覆い、これに紫外線を照射して硬化させて裏面保護層１６を形成した。なお、紫外線硬化樹脂を用いる手法の他、粘着フィルムなどを張り合わせて黒色ビーズを固定してもよく、これにより、柔軟性が高くなるので、巻き上げ時にはより都合がよい。
【００５８】
次に、本実施例における反射スクリーン１０の製造方法について説明する。
（単位プリズム形状賦型工程）
まず、電離放射線硬化性樹脂をベース部１１上に塗布して、型を当てつけた状態において電離放射線を照射して硬化させることにより単位プリズム形状１２を賦型する。この単位プリズム形状賦型工程に使用する電離放射線硬化性樹脂は、紫外線、及び、電子線硬化性の樹脂、アクリレート、エポキシアクリレート、シリコンアクリレート、シロキサン等の多官能単量体を主成分とする光架橋型のものを用いるのがよい。ここで電離放射線とは、電磁波又は荷電粒子線のうち分子を重合、架橋し得るエネルギ量子を有するものを意味し、通常、紫外線、電子線が用いられる。
なお、単位プリズム形状１２の形成は、電離放射線硬化による形成ではなく、アクリル樹脂、ペット（ポリエチレンテレフタレート）樹脂などを用いた熱溶融押出し成型により行ってもよい。
【００５９】
（反射層形成工程）
単位プリズム形状１２を形成した後、単位プリズム形状１２の楔形状の頂部に反射層１３をグラビアリバースコートにより形成した。本実施例における反射層１３のシルバー色塗料の膜厚は約２０μｍとして塗装した。この厚みに塗装することにより、上述した反射率を得ることができる。
単位プリズム形状１２の頂部が突出しているので、光吸収部１４を形成する予定の谷部分にシルバー色塗料が付着することを防ぎながら、反射層１３をこの頂部のみに形成することが容易に行える。
なお、反射層１３の形成方法としては、この他に、スプレー塗装、スクリーン印刷、コンマコート、インクジェットによる塗布、蒸着（アルミニウム、銀、クロムなど、反射率の高い金属を用いることが望ましい）等を用いることができる。
また、反射層１３の形成に用いる塗料としては、シルバー色塗料以外にも、塗装後の表面がマット状となるつや消しの白色系の塗料、塗装後の表面の写りこみの大きい（テカリの強い）グロス白系の塗料、銀色系（メタリック）の塗料、パール系塗料、マイカ（雲母）やビーズを適宜混入させた塗料を使用してもよい。これらを適宜使い分けることにより、観察領域や輝度、光源の映り込み防止効果等を制御することができる。
【００６０】
（光吸収部形成工程）
反射層形成工程に続いて、黒色ビーズを反射層１３の形成された裏面側の全面に散布した。そして、単位プリズム形状１２の間に満遍なく充填させるために、スキージング（ワイピング）を行った。なお、黒色ビーズの直径は、１〜１０μｍ程度が望ましい。それよりも小さいとスキージングによるかきとりが難しくなり、１０μｍを越えると単位プリズム形状１２の隙間への充填が困難となり、充填不足となるからである。この光吸収部形成工程により外光を十分に遮断することができる光吸収部１４が得られた。
反射層１３を既に必要な部分である単位プリズム形状１２の頂部のみに形成しているので、光吸収部１４は、裏面全体に付着してしまっていてもよく、この光吸収部形成工程を簡単に行うことができる。
なお、本実施例では、スキージングを行ったので、図１に示すように黒色ビーズは、単位プリズム形状１２の間の谷部分にのみ形成されている形態となっているが、反射層１３の上（裏面側表面）が黒色ビーズにより覆われていてもよい。
【００６１】
（裏面保護層形成工程）
光吸収部１４を形成した後に、この裏面の全面を覆う形で、紫外線硬化樹脂を滴下して覆い、紫外線を照射して硬化させて裏面保護層１６を形成した。
（前面処理層形成工程）
最後に、前面側の最表面に前面処理層１５を形成した。本実施例では、反射防止処理の施されている反射防止シートをラミネート加工することにより、前面処理層１５とした。
以上の各工程を行うことにより、反射スクリーン１０を得た。
【００６２】
以上説明した反射スクリーン１０では、図１に示すように映像源Ｌから投影される映像光線Ｌ１，Ｌ２は、単位プリズム形状１２内を導波して光吸収部１４との境界面で全反射を行う。光吸収部１４は、黒色ビーズを充填しているが、その隙間は、空隙であることから、光吸収部１４の屈折率は、単位プリズム形状１２の屈折率よりも屈折率が低く、したがって、この境界面において臨界角よりも大きな角度で入射する光は、全反射する。
そして、単位プリズム形状１２と光吸収部１４との境界面で全反射した映像光は、反射層１３に到達して反射され、その後さらに全反射するなどして観察可能な光線として観察者方向へ戻される。
【００６３】
一方、反射スクリーン１０の上方に設けられた室内照明Ｇなどからの外光Ｇ１，Ｇ２は、反射スクリーン１０に対する入射角度が大きいことから、単位プリズム形状１２と光吸収部１４との境界面における入射角度が小さくなり、臨界角を超えない成分が多く、全反射をすることなく光吸収部１４に入射して、黒色ビーズにより吸収される。したがって、外光が観察位置に戻る割合を非常に少なくすることができる。
反射スクリーン１０に実際に映像光を投影すると、投影画像については高い反射率を有し、外光については十分に吸収することができた。
このように、本実施例によれば、コントラストが高く、高輝度であって映り込みのない画像を得ることができ、また、この反射スクリーン１０は、上述したように容易に製造することができる。
【実施例２】
【００６４】
図２は、実施例２における反射スクリーン２０を示した断面図である。
実施例２は、実施例１における単位プリズム形状１２の形状を改良して単位プリズム形状２２とした例である。したがって、前述した実施例１と同様の機能を果たす部分には、末尾に同一の符号を付して、重複する説明を適宜省略する。
図３は、単位プリズム形状２２の具体的な形状を示す図である。
単位プリズム形状２２は、その並ぶ方向（使用状態における上下方向）において非対称な形状となっており、上方に位置する第１のプリズム面２２ａと、下方に位置する第２のプリズム面２２ｂを有している。
【００６５】
第１のプリズム面２２ａは、１つの平面により形成されており、スクリーン面に対する法線との成す角度が５°である。
第２のプリズム面２２ｂは、裏面に近い位置に形成された第１の平面２２ｂ−１と、第１の平面２２ｂ−１よりも映像源側に形成された第２の平面２２ｂ−２との２種類の平面を有している。
第１の平面２２ｂ−１は、第１のプリズム面２２ａと対称な平面の一部により形成されており、スクリーン面に対する法線との成す角度が５°である。
第２の平面２２ｂ−２がスクリーン面の法線と成す角度は、１５°であり、第１の平面２２ｂ−１がスクリーン面の法線と成す角度よりも大きくなっている。
また、単位プリズム形状２２は、頂部の幅が４０μｍであり、谷底から頂部までの高さが２００μｍ、前面側の幅が１００μｍとなっている。
【００６６】
本実施例では、第２の平面２２ｂ−２がスクリーン面の法線と成す角度をより大きくしたことにより、第２の平面２２ｂ−２に対する外光の入射角度が小さくなるようにして、外光がこの第２の平面２２ｂ−２で全反射することなく光吸収部２４に到達しやすくしている。また、下方への間口が広がることにより、下方からの映像光が単位プリズム形状２２に入射し易くなっている。
【００６７】
図４は、実施例２における反射スクリーン２０に対して入射角度３０度で下方から映像光が投影された場合を示す図である。
図５は、実施例２における反射スクリーン２０に対して入射角度１０度で下方から映像光が投影された場合を示す図である。
図６は、実施例２における反射スクリーン２０に対して入射角度３０度で上方から外光が到達した場合を示す図である。
なお、図４〜図６では、簡単のためにベース部２１は別層として示さず、また、前面処理層２５を省略している。
下方からの映像光は、適度に拡散されながら観察方向へ反射されている（図４，５）のに対して、上方からの外光については、その大部分が吸収されて出射しないことが分かる（図６）。
【００６８】
実施例２における反射スクリーン２０に対して、反射率の角度依存性を評価した。
図７は、実施例２における反射スクリーン２０の反射率の角度依存性の評価結果である。
図７において、横軸の＋側は、スクリーン上方からの入射光に対する反射率を示し、−側は、スクリーン下方からの入射光に対する反射率を示している。通常のフロント投影プロジェクターの投影角度は、スクリーン下端付近で入射角度０°近傍であり、上端において入射角度−３０°程度である。図７のグラフにおいて、この映像光の入射角度範囲に相当するのは、横軸の−３０°〜０°の範囲であり、その範囲で高反射率を維持していることが明らかである。一方、主に上方から差し込む外光は、図７のグラフにおいて、横軸中＋側が相当する。この外光の入射角度に相当する範囲では、およそ上方からの２０°を越える角度の光に対しては、反射率１０％未満であり、外光遮断の特性が十分発揮されている。
【００６９】
本実施例によれば、第２の平面２２ｂ−２をさらに設けたことにより、上方からの外光の反射を防ぎながら、映像光を反射するという効果をより高めることができる。したがって、よりコントラストが高く、高輝度であって映り込みのない画像を観察することが可能となる。
【実施例３】
【００７０】
図８は、実施例３における反射スクリーン３０を映像源側上方から見た斜視図である。
図９は、実施例３における反射スクリーン３０を示した断面図である。
反射スクリーン３０は、ベース部３１，単位プリズム形状３２，反射層３３，光吸収部３４，正反射防止層３５，接着層３７等を備えている。
ベース部３１，単位プリズム形状３２，光吸収部３４については、実施例２におけるベース部２１，単位プリズム形状２２と同様であるので、詳細な説明は省略する。
反射層３３は、高反射率（Ｒｔ＝７０．６％，Ｒｄ＝６０．８％）のアルミニウム板であって、紫外線硬化型の接着剤により形成された接着層３７により単位プリズム形状３２及び光吸収部３４の裏面側に接着固定されている。このような構成とするために、あらかじめ単位プリズム形状３２の間に光吸収部３４を形成しておき、その後に反射層３３を透過性の高い接着層３７により接着する。なお、接着層３７の代わりに粘着層を用いることもできる。
【００７１】
ここで、反射層３３は、反射率が４０％以上であることが望ましく、さらに、拡散反射率Ｒｄが１０％以上、かつ、７０％以下の範囲内であることが望ましい。拡散反射率Ｒｄが低すぎると、鏡面反射の状態なので、視域が非常に狭くなり実用に適さない。また、拡散反射率Ｒｄが高すぎると、視域は広がるが、拡散反射した光が光吸収部に吸収される割合が増え、反射効率が低下してしまう。検討の結果１０〜７０％であれば、このバランスがよいことが判った。なお、この反射層の反射率及び拡散反射率Ｒｄの条件は、上述の実施例１及び実施例２においても同様に好ましい条件である。
また、反射層３３となるアルミニウム板と単位プリズム形状３２及び光吸収部３４との間隔、すなわち、接着層３７の厚さｔは、単位プリズム形状３２の反射層３３側（裏面側）の幅（図９中の幅Ａ）の１／２以下であることが望ましい。間隔がこれ以上離れてしまうと、反射層３３により反射した後に再び単位プリズム形状３２へ入射させるべき反射光の多くが光吸収部３４へ入射してしまい、スクリーンとしての反射効率が著しく低下してしまうからである。
【００７２】
正反射防止層３５は、表面に多数の微細凹凸形状が無作為に形成された層であり、本実施例では、全透過効率≒９０％、拡散透過率≒３７％、ヘイズ値≒４２％である市販の拡散フィルム（株式会社きもと製ＴＬ−４）を使用した。なお、図８では、作図上の都合により、正反射防止層３５の表面に波型形状が多数斜めに形成されているかのようにも見える図となっているが、本実施例における正反射防止層３５の表面形状は、そのような方向性を有したものではなく、いわゆるマット面のように、不規則な凹凸形状が多数無作為に並んだものである。
【００７３】
正反射防止層３５は、以下の機能を有している。
（１）プロジェクター光源エンジン部が反射スクリーン最表面に映り込んで観察されてしまうことを防止する。
（２）反射スクリーンに投影された画像の観察可能な角度を広げる。
ここで、上記（１）の機能については、層内部に拡散材を混入させたタイプの拡散層（拡散フィルム）を用いたのでは、達成することができない。この機能を達成するためには、表面に微細な凹凸形状を有していることが必要である。そして、この微細凹凸形状による光の拡散度に応じて映像源の映り込み防止効果の程度を調節することができる。拡散の度合いが少なすぎると映り込みを抑えきれないが、かといって拡散度合いを強くしすぎるとスクリーンが白みがかって観察されてしまう。そこで、拡散度の異なる多数の拡散フィルムを評価したところ、正反射防止層３５のヘイズ値としては、ヘイズ値２５％以上、９０％以下の範囲とすると、白みがかってしまうことなく映り込みを効果的に防止することができることが判った。
ただし、ヘイズ値が上記範囲にあったとしても、表面の形状によっては、上記（１）の機能を達成できない場合があった。
【００７４】
図１０は、正反射防止層の表面形状の違いによる映像源の映り込み防止効果の違いについて説明する図である。
図１０（ａ）のようにスクリーン面と平行となる平坦面が多数存在していると、その平坦面において正反射する成分が多数存在することから、映像源の映り込みが発生してしまう。一方、仮に、図１０（ａ）と図１０（ｂ）とがヘイズ値としては同じ値を示すとしても、図１０（ｂ）のように、スクリーン面と平行となる平坦面が実質的に形成されておらず、全面が凹凸形状に覆われていることが上記（１）の映像源の映り込みを防止するために望ましい。なお、スクリーン面と並行ではないとしても、同一の方向を向いた平坦面が多数存在していても、特定の方向から観察すると映像源の映り込みが生じる恐れがあるので、平坦面ができる限りすくないことがより望ましい。
【００７５】
本実施例によれば、アルミニウム板を接着して反射層としたので、反射層を非常に簡単に、かつ、安定して形成することができる。また、正反射防止層を設けたので、視域を広げ、さらに、映像源の映り込みも完全に防止することができる。
【実施例４】
【００７６】
図１１は、実施例４における反射スクリーン４０を映像源側上方から見た斜視図である。
図１２は、実施例４における反射スクリーン４０を示した断面図である。
反射スクリーン４０は、ベース部４１，単位プリズム形状４２，反射層４３，光吸収部４４，正反射防止層４５，接着層４７，異形拡散層４８等を備えている。
ベース部４１，単位プリズム形状４２，反射層４３，光吸収部４４，正反射防止層４５，接着層４７については、実施例３における単位プリズム形状３２，反射層３３，光吸収部３４，正反射防止層３５，接着層３７と同様であるので、詳細な説明は省略する。
異形拡散層４８は、ベース部４１と正反射防止層４５との間に不図示の接着剤により貼り付けられており、略５μｍの干渉縞パターンが凹凸形状として記録されているホログラフィックディフューザであり、透過する光を特定の方向についてのみ強く拡散する作用を有している。本実施例の異形拡散層４８は、水平方向のヘイズ値≒７０％、垂直方向のヘイズ値≒３５％となるようにして配置されている。
本実施例によれば、異形拡散層４８を設けたので、単位プリズム形状４２による垂直方法の制御に加えて、水平方向についても光の拡散を適度に制御することができ、視域をより広くすることができる。
【実施例５】
【００７７】
図１３は、実施例５における反射スクリーン５０に反射層５３を形成する前の状態を裏面側上方から見た斜視図である。
図１４は、実施例５における反射スクリーン５０を示した断面図である。
反射スクリーン５０は、ベース部５１，単位プリズム形状５２，反射層５３，光吸収部５４，正反射防止層４５等を備えている。
ベース部５１，単位プリズム形状５２，光吸収部５４，正反射防止層５５については、実施例３における単位プリズム形状３２，光吸収部３４，正反射防止層３５と同様であるので、詳細な説明は省略する。
【００７８】
図１３に示すように、反射層５３を形成する前の状態において、単位プリズム形状５２の裏面側の上底面５２ｃには、単位プリズム形状５２及び光吸収部５４の長手方向が延在する方向（水平方向）と直行する方向（垂直方向）に意図的に細かい筋目が残るように仕上げている（ヘアライン加工）。本実施例では、＃４００のサンドペーパーにより上底面５２ｃを擦ることにより垂直方向に筋目（擦掻筋）を形成した。そして、筋目が形成された上底面５２ｃに反射率≒６８％、拡散反射率≒５２％の高反射塗料をスプレー塗布して反射層５３とした。
【００７９】
このように垂直方向に筋目が形成された上底面５２ｃに反射層５３を形成したことにより、反射面に微細な筋目が形成されていることになる。このように、反射層５３の表面に表面拡散処理を施すことにより、水平方向の拡散作用の強度が垂直方向よりも非常に強くなっている。
本実施例によれば、水平方向の視域を広げ、どのような位置からも観やすい反射スクリーンとすることができる。
【実施例６】
【００８０】
図１５は、実施例６における反射スクリーン６０を映像源側上方から見た斜視図である。
図１６は、実施例６における反射スクリーン６０を示した断面図である。
反射スクリーン６０は、ベース部６１，単位プリズム形状６２，反射層６３，光吸収部６４，正反射防止層６５，レンチキュラーレンズ層６９等を備えている。
ベース部６１，単位プリズム形状６２，反射層６３，光吸収部６４，正反射防止層６５については、実施例５における単位プリズム形状５２，反射層５３，光吸収部５４，正反射防止層５５と同様であるので、詳細な説明は省略する。
【００８１】
レンチキュラーレンズ層６９は、実施例５において上底面５２ｃ形成した垂直方向の筋目の代わりに設けた、レンチキュラーレンズ形状である。レンチキュラーレンズ層６９のレンズ形状は、楕円筒形状の一部形状を単位形状として、この単位形状の楕円筒が水平方向に多数並んで配置されている。したがって、水平断面の形状が同一断面形状を保って垂直方向に延在している。
レンチキュラーレンズ層６９を形成した後に、実施例５と同様にして反射層６３を形成した。
本実施例によれば、レンチキュラーレンズ形状とすることにより、水平方向の拡散作用をより細かく制御することができる。
【実施例７】
【００８２】
図１７は、実施例７における反射スクリーン７０を示す図である。図１７（ａ）は、背面側から見た図であり、図１７（ｂ）は、断面図である。
実施例７における反射スクリーン７０は、実施例１における反射層１３を改良した反射層７３を用いている他は、実施例１と同様な形態である。従って、前述した実施例１と同様の機能を果たす部分には、同一の符号を付して、重複する説明を適宜省略する。
反射層７３は、正反射層７３ａと拡散反射層７３ｂとを組み合わせて形成されている。
正反射層７３ａは、拡散反射率Ｒｄ（７３ａ）が拡散反射層７３ｂの拡散反射率Ｒｄ（７３ｂ）よりも小さな反射層であり、反射層を形成する前に光吸収部１４を形成し、その後に、スクリーン印刷で、部分的に（例えば、図１７に示すようなドット状、又は、網目状）に印刷して形成された層である。
拡散反射層７３ｂは、上述のように、拡散反射率Ｒｄ（７３ｂ）が正反射層７３ａの拡散反射率Ｒｄ（７３ａ）よりも高い層であり、正反射層７３ａを形成した後に全面に印刷形成される層である。
このように拡散反射率Ｒｄの異なる複数の領域を組み合わせて反射層を形成したので、これら各領域の占める面積比率を変更することにより、正反射の強い反射光と拡散反射の強い反射光との割合を適宜設定することができる。よって、正面のピーク輝度と、観察角度分布の割合を任意に制御することができる。
【実施例８】
【００８３】
図１８は、実施例８における反射スクリーン８０を示した断面図である。
実施例８は、実施例１における単位プリズム形状１２を改良して単位プリズム形状８２とし、また、反射層の形態を変更した例である。したがって、前述した実施例１と同様の機能を果たす部分には、末尾に同一の符号を付して、重複する説明を適宜省略する。
【００８４】
本実施例のベース部８１は、実施例１のベース部１１と同様な部分であり、スクリーンの使用状態で観察面側となる表面にマット加工処理を施したポリエチレンテレフタレート樹脂製のフィルムを使用している。
【００８５】
単位プリズム形状８２は、図１８の断面において、裏面側における幅より映像源側における幅が広い略楔形状となっている。単位プリズム形状８２は、スクリーン面に沿って（図１８に示したスクリーンの使用状態では上下方向に）多数並べて形成されている。また、単位プリズム形状８２は、単位プリズム形状８２の間に形成される光吸収部８４との境界面となる斜面のうち、上方の斜面８２ａ、及び、下方の斜面８２ｂがスクリーン面の法線となす角度が、いずれもθで等しく、スクリーンの使用状態で上下対称な形状となっている。
なお、単位プリズム形状８２の裏面を形成している台形の頂部である上底面８２ｃの幅をｗｔとする。
【００８６】
単位プリズム形状８２は、例えば、紫外線硬化型樹脂をベース部８１上に塗布し、型を当てつけた状態で紫外線を照射して硬化させることにより、上述の形状が賦型される。この単位プリズム形状８２の材料としては、紫外線硬化型樹脂に限らず、電離放射線硬化型樹脂等の光硬化型樹脂、例えば、アクリレート、エポキシアクリレート、シリコンアクリレート、シロキサン等の多官能単量体を主成分とする光架橋型の樹脂を用いることができる。ここで、電離放射線とは、電磁波又は荷電粒子線のうち、分子を重合、架橋し得るエネルギー量子を有するものを意味する。
本実施例では、屈折率１．５６である紫外線硬化型樹脂をベース基材部８１に滴下して金型を当て、紫外線を照射して硬化させることにより形成されている。
なお、単位プリズム形状８２は、紫外線硬化による形成ではなく、アクリル樹脂、ポリエチレンテレフタレート樹脂等を用いた熱溶融押し出し成型により行ってもよい。
【００８７】
光吸収部８４は、スクリーン面に沿って単位プリズム形状８２と交互に並べて形成され、光を吸収する作用を有する部分である。本実施例では、光吸収部８４は、光を吸収する微小ビーズとして、平均粒径が６μｍである黒色顔料を含有する紫外線硬化型樹脂（屈折率１．４９）をワイピング（スキージング）することにより、単位プリズム形状８２の間に充填し、紫外線を照射して形成されている。
なお、光吸収部８４の裏面を形成している略二等辺三角形の底辺部８４ａの幅をｗａとする。
【００８８】
本実施例の反射層８３は、反射スクリーン８０の裏面全体を覆うように、高反射性を有する白色塗料をコンマコーティングすることにより形成され、その膜厚は２０μｍである。また、使用した白色塗料の反射率は、全光線の反射率Ｒｔ＝８３％、拡散反射率Ｒｄ＝７２％である。
なお、反射層８３の形成方法としては、スプレー塗装、グラビアリバースコート、スクリーン印刷、インクジェット方式による塗布、蒸着（アルミニウム、銀、クロム等、反射率の高い金属を用いることが望ましい）等の形成方法を用いることができる。
【００８９】
紫外線吸収層８５は、映像源及び外光等に含まれる紫外線を吸収する紫外線吸収作用を有した層であり、最も映像源側に配置されている。本実施例の紫外線吸収層８５は、ベース部８１の映像源側にグラビアコートにより紫外線吸収剤をコーティングして形成されている。この紫外線吸収層８５を設けることにより、ベース部８１及び単位プリズム形状８２の紫外線による黄変を防止できる。なお、裏面側には、反射層８３が形成されているので、裏面側からの紫外線の影響を考慮する必要はない。
【００９０】
ここで、本実施例では、上底面８２ｃの幅ｗｔと底辺部８４ａの幅ｗａとの比ｗｔ／ｗａについて、以下の関係式を満足する形状となるように、単位プリズム形状８２及び光吸収部８４が形成されている。
１／４≦ｗｔ／ｗａ≦２・・・式（１）
また、単位プリズム形状８２と光吸収部８４との境界面である斜面８２ａ，８２ｂがスクリーン面に対する法線となす角度θについて、以下の関係式を満足する形状となるように、単位プリズム形状８２及び光吸収部８４が形成されている。
５°≦θ≦１５°・・・式（２）
【００９１】
本実施例では、上記式（１）及び式（２）を満足する具体的な形態として、具体例１〜具体例５の反射スクリーンを作成した。
具体例１の反射スクリーンは、ｗｔ＝１３μｍ，ｗａ＝５２μｍ（ｗｔ／ｗａ＝１／４），θ＝９°となるように、単位プリズム形状８２及び光吸収部８４が形成されている。
具体例２の反射スクリーンは、ｗｔ＝２２μｍ，ｗａ＝４３μｍ（ｗｔ／ｗａ≒１／２），θ＝９°となるように、単位プリズム形状８２及び光吸収部８４が形成されている。
具体例３の反射スクリーンは、ｗｔ＝３２．５μｍ，ｗａ＝３２．５μｍ（ｗｔ／ｗａ＝１），θ＝９°となるように、単位プリズム形状８２及び光吸収部８４が形成されている。
具体例４の反射スクリーンは、ｗｔ＝４３．３μｍ，ｗａ＝２１．７μｍ（ｗｔ／ｗａ≒２），θ＝９°となるように、単位プリズム形状８２及び光吸収部８４が形成されている。
具体例５の反射スクリーンは、ｗｔ＝２６μｍ，ｗａ＝３９μｍ（ｗｔ／ｗａ＝２／３），θ＝５°となるように、単位プリズム形状８２及び光吸収部８４が形成されている。
具体例６の反射スクリーンは、ｗｔ＝２６μｍ，ｗａ＝３９μｍ（ｗｔ／ｗａ＝２／３），θ＝１２°となるように、単位プリズム形状８２及び光吸収部８４が形成されている。
具体例７の反射スクリーンは、ｗｔ＝２６μｍ，ｗａ＝３９μｍ（ｗｔ／ｗａ＝２／３），θ＝１５°となるように、単位プリズム形状８２及び光吸収部８４が形成されている。
【００９２】
また、これらと比較するために、比較例１〜比較例４の反射スクリーンを作成した。
比較例１の反射スクリーンは、ｗｔ＝２６μｍ，ｗａ＝１５６μｍ（ｗｔ／ｗａ＝１／６），θ＝９°となるように、単位プリズム形状８２及び光吸収部８４が形成されている。
比較例２の反射スクリーンは、ｗｔ＝５７μｍ，ｗａ＝８μｍ（ｗｔ／ｗａ＝５７／８），θ＝９°となるように、単位プリズム形状８２及び光吸収部８４が形成されている。
比較例３の反射スクリーンは、ｗｔ＝２６μｍ，ｗａ＝３９μｍ（ｗｔ／ｗａ＝２／３），θ＝３°となるように、単位プリズム形状８２及び光吸収部８４が形成されている。
比較例４の反射スクリーンは、ｗｔ＝２６μｍ，ｗａ＝３９μｍ（ｗｔ／ｗａ＝２／３），θ＝２０°となるように、単位プリズム形状８２及び光吸収部８４が形成されている。
【００９３】
これら具体例１〜具体例７及び比較例１〜比較例４について、コントラストを比較して評価した。
コントラストの評価は、各反射スクリーンに映像源Ｌから光を投射し、輝度計を用いて各反射スクリーンの輝度を測定した。
ここで、コントラストとは、映像源Ｌが白を再現する光を投射したときの反射スクリーンの輝度と、映像源Ｌが黒を再現する光を投射したときの反射スクリーンの輝度との比である。この比が大きいほど、コントラストは高く、鮮明な画像となり、この比が低いほど、コントラストは低く、画像は白っぽくなり、不鮮明なものとなる。
【００９４】
測定に使用した本実施例の反射スクリーン８０の具体例１〜具体例４及び比較例１、比較例２の反射スクリーンは、スクリーンの使用状態での垂直方向の大きさが９０ｃｍ、水平方向の大きさが１２０ｃｍである。
映像源Ｌは、具体例１〜具体例４、比較例１，比較例２の反射スクリーンのスクリーン面から、水平方向に２３０ｃｍ離れた位置に固定され、光束は、各反射スクリーンの中央より１５ｃｍ下方となる位置（位置Ｐとする）に対して水平に投射される。なお、本測定に使用した映像源Ｌは、ＥＭＰＴＷ２００Ｈ（セイコーエプソン株式会社製）であり、投射する光束は、１５００ｌｍである。
【００９５】
輝度計は、各スクリーンのスクリーン面から１７０ｃｍ離れ、上述の位置Ｐを通る法線と、位置Ｐと輝度計とを通る直線がなす角度が、５°となる位置で輝度を測定した。なお、この５°だけ角度をずらして測定を行ったのは、投射する光束を輝度計により遮ってしまわないようにするためである。本測定に使用した輝度計は、ＬＳ１１０（ミノルタ株式会社製）である。なお、映像源Ｌ，輝度計，位置Ｐは、床面からの高さがともに１００ｃｍであり、床面からの高さが等しい同一平面内に配置されている。
測定は、床面からの高さが１００ｃｍでの照明（外光源）による明るさ（照度）が１０００ｌｘである明室環境下で行われ、床面から天井までの距離は３００ｃｍである。
【００９６】
また、コントラストの測定に加えてゲインについても測定して評価した。
ここで、ゲインとは、完全拡散面を有した反射拡散板と比較したときの各反射スクリーンの相対輝度であり、このゲインが高いほど、明るい映像を観察可能となる。
ゲインの測定条件は、上述したコントラストの測定条件と略等しい条件で行った。ただし、コントラストの測定は、明室環境下（１２００ｌｘ）で行ったのに対して、ゲインの測定は、暗室環境下（１ｌｘ）で行った。この条件で、各反射スクリーンに加えて、完全拡散面を有した反射拡散板の輝度を測定し、ゲインを算出した。
なお、コントラスト及びゲインについては、コントラストが９以上、ゲインが１．５以上であれば、十分に高品位な映像を得ることができる。また、ゲインが１．７以上あれば、さらに明るく高品位な映像とできる。
【００９７】
【表１】
2006301588.tif 000003
【００９８】
表１には、具体例１〜具体例４及び比較例１、比較例２の結果を、ｗｔ／ｗａに着目してまとめて示している。表１の結果から分かるように、具体例１〜具体例４では、ｗｔ／ｗａが先に示した式（１）を満たしており、コントラスト及びゲインが高い値を示している。
そして、より高いコントラスト及びゲインを得るためには、ｗｔ／ｗａは、以下の関係式を満足するとよいことが具体例２，具体例３の結果から分かる。
１／２≦ｗｔ／ｗａ≦１・・・式（３）
【００９９】
【表２】
2006301588.tif 000004
【０１００】
表２には、具体例３，具体例５〜具体例７、及び比較例３、比較例４の結果を、θに着目してまとめて示している。表２の結果から分かるように、具体例３，具体例５〜具体例７では、θが先に示した式（２）を満たしており、コントラスト及びゲインが高い値を示している。
そして、より高いコントラストを得るためには、θは、以下の関係式を満足するとよいことが具体例３，具体例５，具体例６の結果から分かる。
５°≦θ≦１２°・・・式（４）
【０１０１】
本実施例によれば、式（１）及び式（２）の少なくとも一方の関係を満たすことにより、明るくコントラストの高い映像を表示できる。また、式（３）及び式（４）の少なくとも一方の関係を満たすことにより、さらに明るくコントラストの高い高品位な映像を表示できる。
また、本実施例によれば、紫外線吸収層８５を形成したので、紫外線の影響による反射スクリーンの黄変を防止できる。
単位プリズム形状及び光吸収部を備えた本発明の反射スクリーンは、先にも述べたように、外光の影響を排除し、明室環境下においても、高いコントラストで明るい映像を表示可能である。したがって、明るい環境下で使用される場合も多くなり、明るい環境下に常設される場合も想定される。そのような場合であっても、紫外線吸収層８５を形成したことにより、黄変が生じることなく、長期間にわたって製造当初の外観を維持できる。
【０１０２】
（変形例）
以上説明した実施例に限定されることなく、種々の変形や変更が可能であって、それらも本発明の均等の範囲内である。
（１）各実施例において、単位プリズム形状は、平面を組み合わせた形状である例を示したが、これに限らず、例えば、その一部又は全てが曲面を組み合わせた形状となっていてもよい。また、単位プリズム形状とせずに、裏面側及び映像源側の幅が等しい単なる光透過部であってもよい。
【０１０３】
（２）各実施例において、反射層形成工程の後に光吸収部形成工程を行う例を示したが、これに限らず、例えば、光吸収部形成工程の後に反射層形成工程を行ってもよい。そのような工程順とすることによって、光吸収部をワイピングなどにより単位プリズム形状の間に充填した後に、反射層を裏面の全面に形成するだけでよく、光吸収部の形成が容易な場合に特に有効な方法である。
【０１０４】
（３）各実施例において、単位プリズム形状及び光吸収部は、水平方向に同一断面形状で延在し、垂直方向に多数並んでいる例を示したが、これに限らず、例えば、外光及び映像光の方向が水平方向であればそれに併せて９０度回転した形態としてもよいし、単位プリズム形状及び光吸収部の組合せを２層設けて、互いに直交するように配置してもよい。
【０１０５】
（４）各実施例において、光吸収部は、黒色ビーズを充填することにより形成した例を示したが、これに限らず、例えば、黒色ビーズを混練した樹脂により形成してもよい。その場合、単位プリズム形状を形成する材料の屈折率よりも屈折率が低い樹脂に黒色ビーズを混練して光吸収部を形成するとよい。
【０１０６】
（５）各実施例において、固定式の反射スクリーンの例を挙げて説明したが、これに限らず、例えば、不使用時に巻き上げて収納可能な巻き上げ式としてもよい。
【０１０７】
（６）実施例３から実施例６において、正反射防止層として市販の拡散フィルムを用いた例を示したが、これに限らず、例えば、正反射防止層として多数の微小ビーズとこれを固着するバインダとを混練して、微小ビーズが固着されずにバインダのみとなっている部分よりも微小ビーズが固着されている部分を映像源側へ突出させて微細凹凸形状を形成してもよい。
【０１０８】
（７）実施例３から実施例６において、正反射防止層として不規則なマット状の微細凹凸形状を用いた例を示したが、これに限らず、例えば、微小な単位レンズ形状を一次元、又は、２次元方向に配列したレンズアレイを形成して、このレンズアレイにより正反射する成分を低減させるようにしてもよい。
また、この場合において、単位レンズ形状を一次元方向に配列して形成されたレンチキュラーレンズアレイを用いて、単位レンズ形状が同一断面形状で延在する方向を光透過部及び光吸収部が同一断面形状で延在する方向と略直交するようにして、視域の制御も合わせて行うようにしてもよい。
さらに、上記場合において、単位レンズ形状を二次元方向に配列して形成されたマイクロレンズアレイを用いたときには、単位レンズ形状をスクリーンの法線方向から観察したときの長手方向が光透過部及び光吸収部が同一断面形状で延在する方向と略直交するようにして、視域の制御も合わせて行うようにしてもよい。
【０１０９】
（８）実施例３から実施例６において、正反射防止層のさらに映像源側に、帯電防止処理、ハードコート処理、防汚処理の少なくとも一つの処理を正反射防止層の表面形状に沿って施してもよい。そうすることにより、正反射防止層の正反射する成分を低減させる機能を保ったまま帯電防止、ハードコート、防汚の機能を追加することができる。
【０１１０】
（９）実施例３又は実施例４において、接着層３７，４７中に光拡散材を混入して視域を広げるようにしてもよい。
【０１１１】
（１０）実施例４において、異形拡散層４８を正反射防止層４５に隣接した位置に形成した例を示したが、これに限らず、例えば、異形拡散層の表面の映り込みが少なければ異形拡散層を最映像源側に配置してもよいし、反射層に隣接して配置してもよい。
【０１１２】
（１１）実施例８において、単位プリズム形状が対象形状となっている反射スクリーンにおいて式（１）から式（４）を満たすようにした例を示したが、これに限らず、例えば、実施例２等のように単位プリズム形状が非対称な形状となっている反射シートにおいて、これらの式のいずれかを満足するようにしてもよい。
【０１１３】
（１２）実施例８において、式（１）及び式（２）の両方を満たす例を示したが、これに限らず、例えば、式（１）のみを満たしていてもよいし、式（２）のみを満たしていてもよい。
【０１１４】
（１３）実施例８において、紫外線吸収層８５は、ベース部８１に直接コーティングして形成した例を示したが、これに限らず、例えば、実施例１等における前面処理層中に紫外線吸収剤を含めたり、実施例３等における正反射防止層中に紫外線吸収剤を含めたりして、紫外線吸収層を兼ねる前面処理層、正反射防止層としてもよい。また、前面処理層、正反射防止層の表面に紫外線吸収層を形成してもよい。
【０１１５】
（１４）実施例８において、紫外線吸収層８５は、コーティングにより形成する例を示したが、これに限らず、例えば、紫外線吸収作用を有したフィルム等を貼り付けることにより形成してもよい。その場合、例えば、単位プリズム形状８２を形成した後にロールｔｏロール（ロール状に巻き取られた素材を、加工後、再びロール状に巻き取る加工方法の総称）により紫外線吸収作用を有したフィルムをラミネートするとよい。又は、枚葉に断裁した後に、反射層を塗装後、ラミネートしてもよい。
また、紫外線吸収作用を有したフィルム等をベース部等に貼り合わせるときに使用する接着剤にも紫外線吸収剤を含めてもよい。
【図面の簡単な説明】
【０１１６】
【図１】実施例１における反射スクリーン１０を示した断面図である。
【図２】実施例２における反射スクリーン２０を示した断面図である。
【図３】単位プリズム形状２２の具体的な形状を示す図である。
【図４】実施例２における反射スクリーン２０に対して入射角度３０度で下方から映像光が投影された場合を示す図である。
【図５】実施例２における反射スクリーン２０に対して入射角度１０度で下方から映像光が投影された場合を示す図である。
【図６】実施例２における反射スクリーン２０に対して入射角度３０度で上方から外光が到達した場合を示す図である。
【図７】実施例２における反射スクリーン２０の反射率の角度依存性の評価結果である。
【図８】実施例３における反射スクリーン３０を映像源側上方から見た斜視図である。
【図９】実施例３における反射スクリーン３０を示した断面図である。
【図１０】正反射防止層の表面形状の違いによる映像源の映り込み防止効果の違いについて説明する図である。
【図１１】実施例４における反射スクリーン４０を映像源側上方から見た斜視図である。
【図１２】実施例４における反射スクリーン４０を示した断面図である。
【図１３】実施例５における反射スクリーン５０に反射層５３を形成する前の状態を裏面側上方から見た斜視図である。
【図１４】実施例５における反射スクリーン５０を示した断面図である。
【図１５】実施例６における反射スクリーン６０を映像源側上方から見た斜視図である。
【図１６】実施例６における反射スクリーン６０を示した断面図である。
【図１７】実施例７における反射スクリーン７０を示す図である。
【図１８】実施例８における反射スクリーン８０を示した断面図である。
【符号の説明】
【０１１７】
１０，２０，３０，４０，５０，６０，７０  反射スクリーン
１１，２１，３１，４１，５１，６１  ベース部
１２，２２，３２，４２，５２，６２  単位プリズム形状
２２ａ，３２ａ，４２ａ，５２ａ，６２ａ  第１のプリズム面
２２ｂ，３２ｂ，４２ｂ，５２ｂ，６２ｂ  第２のプリズム面
２２ｂ−１  第１の平面
２２ｂ−２  第２の平面
１３，２３，３３，４３，５３，６３  反射層
１４，２４，３４，４４，５４，６４  光吸収部
１５，２５  前面処理層
３５，４５，５５，６５  正反射防止層
１６，２６  裏面保護層
３７，４７  接着層
４８  異形拡散層
６９  レンチキュラーレンズ層
【図１】
2006301588.tif 000005
【図２】
2006301588.tif 000006
【図３】
2006301588.tif 000007
【図４】
2006301588.tif 000008
【図５】
2006301588.tif 000009
【図６】
2006301588.tif 000010
【図７】
2006301588.tif 000011
【図８】
2006301588.tif 000012
【図９】
2006301588.tif 000013
【図１０】
2006301588.tif 000014
【図１１】
2006301588.tif 000015
【図１２】
2006301588.tif 000016
【図１３】
2006301588.tif 000017
【図１４】
2006301588.tif 000018
【図１５】
2006301588.tif 000019
【図１６】
2006301588.tif 000020
【図１７】
2006301588.tif 000021
【図１８】
2006301588.tif 000022